(57)【特許請求の範囲】
【請求項１】
袖を備えた衣料であって、
前記袖には袖あきが形成され、袖あきを挟んだ一方側にボタンが設けられ、袖あきを挟んだ他方側に袖あき側に開口したポケットが設けられ、
前記ポケットには、一方側がポケットの内部に固定された弾性長尺体が設けられ、
前記弾性長尺体の他方側は、前記ポケットの外部に延在し、前記弾性長尺体自体に形成された開口であるボタンホールが設けられ、
前記ポケットの開口は、前記袖の袖あき側の縁に設けられていることを特徴とする衣料。
【請求項２】
前記弾性長尺体は、非伸張状態で、前記ポケットの内部に固定される部分と前記ポケットの外部に延在する部分の間の中間部が、前記ポケットの外部に延在する部分よりも長く形成されている請求項１に記載の衣料。
【発明の詳細な説明】
【技術分野】
【０００１】
本発明は袖を備えた衣料に関するものである。
【背景技術】
【０００２】
従来、長袖シャツ等の袖を備えた衣料では、袖にボタンとボタンホールが設けられたものがよく知られている。このような衣料は、ボタンをボタンホールに留めて着用することができ、袖をまくる場合には、ボタンをボタンホールから外し、袖口を広げて、袖を引き上げて使用したりする。しかしこのような衣料は、袖をまくる場合、ボタンを外す作業が面倒に感じる場合があり、また状況によっては、落ち着いてボタンを外すことが難しい場合がある。
【０００３】
例えば特許文献１には、長袖の袖口カフスの内面側に、ボタン取り付け位置近くの裏側とボタン穴近くの裏側とを橋掛け状態で平ゴムを縫い付け固定した衣料が開示されている。特許文献１に開示された衣料は、ボタン取り付け位置近くの裏側とボタン穴近くの裏側とを橋掛けするように平ゴムが縫い付けられているため、袖をまくり上げた場合に、平ゴムの収縮力によって当該状態を維持しやすくなる。しかし特許文献１の衣料においても、袖をまくるためには、ボタンをボタンホールから外すことが必要となる。
【先行技術文献】
【特許文献】
【０００４】
【特許文献１】実用新案登録第３１５９７４８号公報
【発明の概要】
【発明が解決しようとする課題】
【０００５】
本発明は前記事情に鑑みてなされたものであり、その目的は、ボタンをボタンホールに留めて袖口をしめるように構成された袖を備えた衣料であって、ボタンをボタンホールに留めたままでも、袖口を広げて、簡単に袖をまくることができる衣料を提供することにある。あるいは、一対のスナップボタンによって袖口をしめるように構成された袖を備えた衣料であって、スナップボタンを係合させたままでも、袖口を広げて、簡単に袖をまくることができる衣料を提供することにある。
【課題を解決するための手段】
【０００６】
前記課題を解決することができた本発明の衣料とは、袖を備えた衣料であって；袖には袖あきが形成され、袖あきを挟んだ一方側にボタンが設けられ、袖あきを挟んだ他方側に袖あき側に開口したポケットが設けられ；ポケットには、一方側がポケットの内部に固定された弾性長尺体が設けられ；弾性長尺体の他方側は、ポケットの外部に延在し、ボタンホールが設けられているところに特徴を有する。本発明の衣料は、袖を備えた衣料であって；袖には袖あきが形成され、袖あきを挟んだ一方側にボタンホールが設けられ、袖あきを挟んだ他方側に袖あき側に開口したポケットが設けられ；ポケットには、一方側がポケットの内部に固定された弾性長尺体が設けられ；弾性長尺体の他方側は、ポケットの外部に延在し、ボタンが設けられているものであってもよい。
【０００７】
本発明の衣料は、袖に、袖あき側に開口したポケットが設けられ、このポケットに、一方側がポケット側に固定され、他方側がポケットの外部に延在した弾性長尺体が設けられ、弾性長尺体の他方側にボタンとボタンホールの一方が設けられている。本発明の衣料はこのように構成されているため、ボタンをボタンホールに留めたままでも袖口を広げることができ、簡単に袖をまくったり、袖の上げ下ろしができるようになる。また、通常の衣料のように、ボタンをボタンホールから外すことにより袖あきを開放することができるため、このような状態でも袖をまくることができ、状況に応じて袖の使用態様を適宜選択することができる。さらに、弾性長尺体の一方側がポケットの内部に固定されているため、ボタンをボタンホールに留めた状態のみならず、ボタンをボタンホールから外した状態でも、袖の外見は従来のボタンとボタンホールが設けられた袖と同じようなものとなり、意匠性に優れたものとなる。
【０００８】
本発明の衣料は、袖を備えた衣料であって；袖には袖あきが形成され、袖あきを挟んだ一方側に雄型のスナップボタンが設けられ、袖あきを挟んだ他方側に袖あき側に開口したポケットが設けられ；ポケットには、一方側がポケットの内部に固定された弾性長尺体が設けられ；弾性長尺体の他方側は、ポケットの外部に延在し、雌型のスナップボタンが設けられているものでもよい。あるいは本発明の衣料は、袖を備えた衣料であって；袖には袖あきが形成され、袖あきを挟んだ一方側に雌型のスナップボタンが設けられ、袖あきを挟んだ他方側に袖あき側に開口したポケットが設けられ；ポケットには、一方側がポケットの内部に固定された弾性長尺体が設けられ；弾性長尺体の他方側は、ポケットの外部に延在し、雄型のスナップボタンが設けられているものでもよい。
【０００９】
本発明の衣料は、ボタンとボタンホールの代わりに、このように袖に一対のスナップボタンが設けられていても、スナップボタンどうしを係合させた状態でも袖口を広げることができ、簡単に袖をまくったり、袖の上げ下ろしができるようになる。また、通常の衣料のように、スナップボタンどうしの係合を外すことにより袖あきを開放することができるため、このような状態でも袖をまくることができ、状況に応じて袖の使用態様を適宜選択することができる。さらに、弾性長尺体の一方側がポケットの内部に固定されているため、スナップボタンどうしを係合した状態のみならず、スナップボタンどうしの係合を外した状態でも、袖の外見は従来のスナップボタンが設けられた袖と同じようなものとなり、意匠性に優れたものとなる。
【００１０】
弾性長尺体にボタンまたは雄型のスナップボタンが設けられる場合、ポケットの開口は、袖の袖あき側の縁または袖の表側面に設けられていることが好ましい。このようにポケットが設けられていれば、ボタンの取り扱い性が向上し、また、ボタンをボタンホールに留める際の操作性や雄型と雌型のスナップボタンを係合させる際の操作性が向上する。
【００１１】
弾性長尺体は、非伸張状態で、ポケットの内部に固定される部分とポケットの外部に延在する部分の間の中間部が、ポケットの外部に延在する部分よりも長く形成されていることが好ましい。このように弾性長尺体が形成されていれば、非伸張状態で、弾性長尺体の大部分がポケット内に収容されて、袖の取り扱い性が良好になる。弾性長尺体を引っ張った際は、ポケットの外部に出る長さをより長くとることができ、袖口をより効果的に広げることができるようになる。
【発明の効果】
【００１２】
本発明の衣料は、ボタンやボタンホールあるいはスナップボタンが弾性長尺体に設けられているため、ボタンをボタンホールに留めたまま、あるいはスナップボタンを係合させたままでも、簡単に袖をまくったり、袖の上げ下ろしをすることができる。また、通常の衣料のように、ボタンをボタンホールから外したり、スナップボタンの係合をはずして袖をまくることもできるため、状況に応じて袖の使用態様を適宜選択することができる。
【図面の簡単な説明】
【００１３】
【図１】本発明の衣料の一例を表し、ボタンを留めた状態の袖の斜視図を表す。
【図２】図１に示した衣料のボタンを外した状態の袖の斜視図を表す。
【図３】本発明の衣料の他の例を表し、ボタンを留めた状態の袖の斜視図を表す。
【図４】図３に示した衣料のボタンを外した状態の袖の斜視図を表す。
【図５】本発明の衣料の他の例を表し、雄型スナップボタンと雌型スナップボタンの係合を外した状態の袖の斜視図を表す。
【図６】本発明の衣料の他の例を表し、雄型スナップボタンと雌型スナップボタンの係合を外した状態の袖の斜視図を表す。
【発明を実施するための形態】
【００１４】
本発明の衣料について、図面を参照して説明する。なお、本発明は、図面に示された実施態様に限定されるものではない。図１および図２には本発明の衣料の一例を示し、衣料の袖の部分の斜視図を示した。図１は、ボタンを留めた状態の袖を示しており、図２は、ボタンを外して袖あきを広げた状態を示している。
【００１５】
本発明の衣料１（１Ａ）は袖２を備えている。衣料１は、少なくとも上衣を有するものであることが好ましく、さらに下衣を有していてもよい。衣料１としては、シャツ、ジャケット、つなぎ（上衣と下衣が一体化した衣料）等が挙げられる。
【００１６】
袖２は、着用者の上腕よりも長く形成されていることが好ましく、少なくとも前腕や手首までの長さを有するものがより好ましい。従って、袖２としては、七分袖や長袖であることが好ましい。
【００１７】
袖２には、袖あき３が形成されている（図２を参照）。具体的には、袖２には、袖口４から袖の付け根方向に延びるスリットとして、袖あき３が形成されている。袖２は、袖あき３を挟んだ一方側にボタン７が設けられ、袖あき３を挟んだ他方側にボタンホール８が設けられている。ボタン７は、袖２の表側面に設けられている。袖２は、ボタン７をボタンホール８に留めるように構成されている。
【００１８】
衣料１Ａでは、ボタン７が袖口４のカフス５に縫い付けられているのに対し、ボタンホール８は、カフス５そのものに形成されるのではなく、カフス５に取り付けられた弾性長尺体９に形成されている。これについて詳しく説明する。
【００１９】
袖２には、袖あき３を挟んだ他方側（すなわち、ボタン７が設けられた袖あき３を挟んだ一方側とは反対側）に、袖あき３側に開口したポケット６が設けられ、ポケット６に弾性長尺体９が設けられている。そして、弾性長尺体９は、一方側がポケット６の内部に固定され、他方側がポケット６の外部に延在し、ボタンホール８が設けられている。このように袖２にボタンホール８を設けることにより、衣料１Ａは、図１に示すように、ボタン７をボタンホール８に留めた状態でも、袖口４を広げて、簡単に袖２をまくることができるようになる。例えば従来の衣料では、袖をまくる場合、ボタンをボタンホールから外して袖口を広げることが必要となるため、ボタンを外す作業が面倒に感じる場合もあった。しかし本発明によれば、ボタンホール８が弾性長尺体９に形成されているため、ボタン７をボタンホール８に留めたままでも袖口４を広げることができ、簡単に袖２をまくり上げることができる。そのため、家事などの作業をしている時や、スポーツをしている時などでも、袖２の上げ下ろしが簡単に行えるようになる。また、通常の衣料のように、ボタン７をボタンホール８から外すことにより袖あき３を開放することができるため、このような状態でも袖２をまくることができ、状況に応じて袖２の使用態様を適宜選択することができる。
【００２０】
本発明の衣料１は、弾性長尺体９の一方側がポケット６の内部に固定されているため、ボタン７をボタンホール８に留めた状態のみならず、ボタン７をボタンホール８から外した状態でも、袖２の外見は従来のボタンとボタンホールが設けられた袖と同じようなものとなり、意匠性に優れたものとなる。また、ボタン７とボタンホール８とを留めたり外したりする作業も、従来のボタンとボタンホールが設けられた袖付き衣料と同じように行えるため、ボタンの操作性にも優れたものとなる。
【００２１】
ポケット６は、袖２の少なくとも一部を２層構造にすることにより形成される。図１および図２では、カフス５を表地と裏地とから構成し、カフス５の袖あき３に面した部分（すなわち袖２の袖あき３側の縁）にポケット６の開口を形成し、ポケット６の開口を除く周縁部分でカフス５の表地と裏地とを縫合することにより、ポケット６を形成している。表地と裏地は、同種の生地から構成されていてもよく、異種の生地から構成されていてもよい。また表地と裏地は、１つの生地を折り返し、折り目を挟んだ一方側を表地とし、他方側を裏地として形成してもよい。ポケット６は、袖２（あるいはカフス５）の表側または裏側に、袖あき３側に開口するように部分的に生地を縫合することにより設けてもよい。なおポケット６は、図面に示すように、カフス５に設けられることが好ましい。
【００２２】
ポケット６の開口は、袖２の袖あき３側の縁またはその近傍に設けられることが好ましい。例えば、ポケット６の開口は、袖２の袖あき３側の縁から３ｃｍ以内に設けられることが好ましく、２．５ｃｍ以内に設けられることがより好ましい。このようにポケット６を設けることにより、ボタン７をボタンホール８に留める際の操作性が向上する。ポケット６の開口が袖２の袖あき３側の縁より内方に設けられる場合は、ポケット６の開口は、袖２の裏側面（着用者側の面）に設けられてもよく、表側面に設けられてもよい。
【００２３】
衣料１Ａのように弾性長尺体９にボタンホール８を設ける場合、ボタン７をボタンホール８に留める際の操作性を向上させる点からは、ポケット６の開口が、袖２の袖あき３側の縁または袖２の裏側面に設けられることが好ましい。一方、ボタン７をボタンホール８に留めた際に袖２の袖あき３側の縁の収まりを良くし、弾性長尺体９が着用者の肌に極力触れないようにして着用感を向上させる点からは、ポケット６の開口が、袖２の袖あき３側の縁または袖２の表側面に設けられることが好ましい。
【００２４】
ポケット６には、一方側がポケット６の内部に固定された弾性長尺体９が設けられている。弾性長尺体９は、伸縮弾性を有し、袖口４の周方向に対して長い形状で設けられるものであれば特に限定されない。一方、弾性長尺体９の他方側は、ポケット６の外部に延在している。詳細には、弾性長尺体９は、非伸張状態で、他方側がポケット６の外部に延在している。弾性長尺体９は、非伸張状態で、ポケット６の内部に固定される部分とポケット６の外部に延在する部分の間の中間部９Ｍが、ポケット６に固定されずにポケット６内に収容されている。従って、弾性長尺体９は、ポケット６の外部に延在している他方側が引っ張られると、中間部９Ｍもポケット６の外部に出てくる。その結果、ボタン７をボタンホール８に留めたままでも、袖口４を効果的に広げることができる。
【００２５】
弾性長尺体９は、非伸張状態で、中間部９Ｍが、ポケット６の外部に延在する部分よりも長く形成されていることが好ましい。このように弾性長尺体９が形成されていれば、非伸張状態で、弾性長尺体９の大部分がポケット６内に収容されて、袖２の取り扱い性が良好になる。弾性長尺体９を引っ張った際は、ポケット６の外部に出る長さをより長くとることができ、袖口４をより効果的に広げることができるようになる。弾性長尺体９は、より好ましくは、非伸張状態で、中間部９Ｍが、ポケット６の外部に延在する部分よりも１．５倍以上長く形成されている。
【００２６】
衣料１Ａでは、弾性長尺体９にボタンホール８が設けられている。図１および図２では、弾性長尺体９として平ゴムが設けられ、平ゴムにボタンホール８が形成されている。なお図面には示されていないが、例えば弾性長尺体９として、両端をポケット６の内部に固定して環状に形成した弾性体を用いてもよい。弾性長尺体９は、少なくとも一部が伸縮弾性を有していればよく、好ましくは全体が伸縮弾性を有する。
【００２７】
衣料１Ａは、弾性長尺体９の非伸張状態で、ボタンホール８がポケット６の外部にあることが好ましい。このようにボタンホール８が形成されていれば、ボタン７をボタンホール８に留める作業を行いやすくなる。
【００２８】
弾性長尺体９の大きさは、袖２や弾性長尺体９の取り扱い性、あるいはボタン７のボタンホール８への留めやすさ等を考慮して、適宜設定すればよい。弾性長尺体９は、例えば、長手方向の長さが３ｃｍ〜１０ｃｍ（好ましくは４ｃｍ〜８ｃｍ）、幅方向の長さが１ｃｍ〜３ｃｍの大きさを有することが好ましい。
【００２９】
次に、本発明の衣料の別の実施態様について、図３および図４を参照して説明する。図３および図４には本発明の衣料の他の例を示し、衣料の袖の部分の斜視図を示した。図３は、ボタンを留めた状態の袖を示しており、図４は、ボタンを外して袖あきを広げた状態を示している。なお図３および図４に係る説明において、図１および図２に係る説明と重複する部分の説明は省略する。
【００３０】
図３および図４に示した衣料１（１Ｂ）では、ボタン７が弾性長尺体９に設けられており、ボタンホール８が袖口４のカフス５に設けられている。すなわち、袖あき３を挟んだ一方側にボタンホール８が設けられ、袖あき３を挟んだ他方側に、袖あき３側に開口したポケット６が設けられ、ポケット６に弾性長尺体９が設けられている。そして、弾性長尺体９は、一方側がポケット６の内部に固定され、他方側がポケット６の外部に延在し、ボタン７が設けられている。このように袖２にボタン７を設けることにより、衣料１Ｂは、ボタン７をボタンホール８に留めたままでも、袖口４を広げて、簡単に袖２をまくることができるようになる。
【００３１】
衣料１Ｂでは、カフス５の表側面にポケット６の開口を設けている。衣料１Ｂのように弾性長尺体９にボタン７を設ける場合は、ボタン７の取り扱い性を向上させたり、ボタン７をボタンホール８に留める際の操作性を向上させる点から、ポケット６の開口は、袖２の袖あき３側の縁または袖２の表側面に設けられることが好ましい。より好ましくは、ポケットの開口は袖２の表側面に設けられ、ボタン７は、弾性長尺体９の非伸張状態で、袖２の袖あき３側の縁よりも内方に位置する（すなわち袖２と重なるように位置する）ように設けられる。
【００３２】
衣料１Ｂは、弾性長尺体９の非伸張状態で、ボタン７がポケット６の外部にあることが好ましい。このようにボタン７が設けられていれば、ボタン７をボタンホール８に留める作業を行いやすくなる。またボタン７は、弾性長尺体９の表側面に設けられることが好ましい。
【００３３】
次に、本発明の衣料のさらに別の実施態様について、図５および図６を参照して説明する。図１〜図４に示した衣料の袖は、ボタンをボタンホールに留めるように構成されていたが、図５および図６に示した衣料は、ボタンとボタンホールの代わりに一対のスナップボタン（すなわち雄型（凸型）のスナップボタンと雌型（凹型）のスナップボタン）が設けられている。スナップボタンはドットボタンとも称され、図５および図６に示した衣料は、雄型のスナップボタンと雌型のスナップボタンとを係合させることにより、袖口をしめることができる。図５および図６は、スナップボタンの係合を外して袖あきを広げた状態を示している。なお図５および図６に係る説明において、上記の説明と重複する部分の説明は省略する。
【００３４】
図５に示した衣料１（１Ｃ）では、図１および図２に示した衣料１Ａにおいて、ボタン７の代わりに雄型スナップボタン１０が設けられ、ボタンホール８の代わりに雌型スナップボタン１１が設けられている。すなわち、袖あき３を挟んだ一方側に雄型スナップボタン１０が設けられ、袖あき３を挟んだ他方側に、袖あき３側に開口したポケット６が設けられ、ポケット６に弾性長尺体９が設けられている。そして、弾性長尺体９は、一方側がポケット６の内部に固定され、他方側がポケット６の外部に延在し、雌型スナップボタン１１が設けられている。このように袖２に一対のスナップボタン１０，１１を設けることにより、衣料１Ｃは、一対のスナップボタン１０，１１を係合させた状態でも、袖口４を広げて、簡単に袖２をまくることができるようになる。
【００３５】
衣料１Ｃでは、雄型スナップボタン１０は、係合面が袖２の表側面に設けられ、雌型スナップボタン１１は、係合面が弾性長尺体９の裏側面に設けられている。そして、雄型スナップボタン１０の係合面と雌型スナップボタン１１の係合面とを合わせて、互いに係合させることにより、スナップボタン１０，１１を留めることができる。
【００３６】
衣料１Ｃでは、袖２の袖あき３側の縁にポケット６の開口を設けているが、雌型スナップボタン１１を雄型スナップボタン１０に係合させる際に係合しやすくする点からは、ポケット６の開口が、袖２の袖あき３側の縁または袖２の裏側面に設けられることが好ましい。一方、スナップボタン１０，１１を係合した際に袖２の袖あき３側の縁の収まりを良くし、弾性長尺体９が着用者の肌に極力触れないようにして着用感を向上させる点からは、ポケット６の開口は、袖２の袖あき３側の縁または袖２の表側面に設けられることが好ましい。
【００３７】
衣料１Ｃは、弾性長尺体９の非伸張状態で、雌型スナップボタン１１がポケット６の外部にあることが好ましい。このように雌型スナップボタン１１が設けられていれば、雌型スナップボタン１１を雄型スナップボタン１０に係合させる作業を行いやすくなる。
【００３８】
図６に示した衣料１（１Ｄ）では、図３および図４に示した衣料１Ｂにおいて、ボタン７の代わりに雄型スナップボタン１０が設けられ、ボタンホール８の代わりに雌型スナップボタン１１が設けられている。すなわち、袖あき３を挟んだ一方側に雌型スナップボタン１１が設けられ、袖あき３を挟んだ他方側に、袖あき３側に開口したポケット６が設けられ、ポケット６に弾性長尺体９が設けられている。そして、弾性長尺体９は、一方側がポケット６の内部に固定され、他方側がポケット６の外部に延在し、雄型スナップボタン１０が設けられている。このように袖２に一対のスナップボタン１０，１１を設けることにより、衣料１Ｄは、一対のスナップボタン１０，１１を係合させた状態でも、袖口４を広げて、簡単に袖２をまくることができるようになる。
【００３９】
衣料１Ｄでは、雌型スナップボタン１１は、係合面が袖２の裏側面に設けられ、雄型スナップボタン１０は、係合面が弾性長尺体９の表側面に設けられている。そして、雄型スナップボタン１０の係合面と雌型スナップボタン１１の係合面とを合わせて、互いに係合させることにより、スナップボタン１０，１１を留めることができる。
【００４０】
衣料１Ｄでは、カフス５の表側面にポケット６の開口を設けている。衣料１Ｄのようにスナップボタン１０，１１を設ける場合は、スナップボタン１０，１１を係合させる際の操作性を向上させる点から、ポケット６の開口は、袖２の袖あき３側の縁または袖２の表側面に設けられることが好ましい。より好ましくは、ポケットの開口は袖２の表側面に設けられ、雄型スナップボタン１０は、弾性長尺体９の非伸張状態で、袖２の袖あき３側の縁よりも内方に位置する（すなわち袖２と重なるように位置する）ように設けられる。
【００４１】
衣料１Ｄは、弾性長尺体９の非伸張状態で、雄型スナップボタン１０がポケット６の外部にあることが好ましい。このように雄型スナップボタン１０が設けられていれば、雌型スナップボタン１１を雄型スナップボタン１０に係合させる作業を行いやすくなる。
【符号の説明】
【００４２】
１：  衣料
２：  袖
３：  袖あき
４：  袖口
５：  カフス
６：  ポケット
７：  ボタン
８：  ボタンホール
９：  弾性長尺体
１０：  雄型スナップボタン
１１：  雌型スナップボタン
【図１】
0005934757.tif 000002
【図２】
0005934757.tif 000003
【図３】
0005934757.tif 000004
【図４】
0005934757.tif 000005
【図５】
0005934757.tif 000006
【図６】
0005934757.tif 000007